(57)【要約】      （修正有）【課題】発生した出力損失を従来の減衰装置と比較して減少させることができる、特に車両ブレーキ装置の液圧ユニットのための減衰装置を提供する。【解決手段】車両ブレーキ装置の液圧ユニットの減衰装置１０は、室体積が可変である減衰器室２６と、該減衰器室２６に後置接続された絞り３６とを備えて構成されている。本発明によれば、前記絞り３６が可変な絞り作用を有していて、該絞り作用が前記室体積に依存して可変である。【選択図】図１
2019051925.tif 000002
【特許請求の範囲】
【請求項１】
室体積が可変である減衰器室（２６）と、該減衰器室（２６）に後置接続された絞り（３６）とを有する、車両ブレーキ装置の液圧ユニットの減衰装置（１０）において、
前記絞り（３６）が可変な絞り作用を有していて、該絞り作用が前記室体積に依存して可変であることを特徴とする、液圧ユニットの減衰装置。
【請求項２】
前記絞り作用が、前記室体積の拡大につれて減少することを特徴とする、請求項１記載の減衰装置。
【請求項３】
前記絞り作用が、前記室体積の最大時において概ねゼロに減少することを特徴とする、請求項２記載の減衰装置。
【請求項４】
前記減衰器室（２６）が変形可能な減衰器ダイヤフラム（２０）によって画成されていて、前記絞り（３６）の絞り作用が前記減衰器ダイヤフラム（２０）の変形状態に依存して可変であることを特徴とする、請求項１から３までのいずれか１項記載の減衰装置。
【請求項５】
前記減衰器室（２６）が位置調節可能な減衰器ピストン（５０）によって画成されていて、前記絞り（３６）の絞り作用が前記減衰器ピストン（５０）の調節位置に依存して可変であることを特徴とする、請求項１から３までのいずれか１項記載の減衰装置。
【請求項６】
前記絞り（３６）に対してバイパスが並列接続されており、前記バイパスにおいて、前記絞り（３６）の絞り作用を変えるために、前記バイパス（４８）の大きさが前記室体積に依存して可変であることを特徴とする、請求項１から５までのいずれか１項記載の減衰装置。
【請求項７】
前記バイパス（４８）が弁体（３４）によって閉鎖可能であって、前記弁体（３４）がバルブシート（３２）に対してシールされていることを特徴とする、請求項６記載の減衰装置。
【請求項８】
前記絞り（３６）が前記弁体（３４）内に配置されていることを特徴とする、請求項６または７記載の減衰装置。
【請求項９】
前記弁体（３４）が室体積に依存して機械的な連結エレメントによって移動可能であり、この場合、前記連結エレメントが特に前記減衰器ダイヤフラム（２０）または前記減衰器ピストン（５０）に連結されていることを特徴とする、請求項７または８記載の減衰装置。
【請求項１０】
前記連結エレメントが、引張エレメントとして、特にタイロッド（４６）、牽引ロープ（５４）または牽引パイプ（５６）として構成されていることを特徴とする、請求項９記載の減衰装置。
【発明の詳細な説明】
【技術分野】
【０００１】
本発明は、室体積が可変である減衰器室と、該減衰器室に後置接続された絞りとを有する、車両ブレーキ装置の液圧ユニットの減衰装置に関する。
【背景技術】
【０００２】
特に乗用車およびトラックのために使用されるような、液圧式の車両ブレーキ装置においては、車両ブレーキ装置内の圧力脈動およびそれに伴って発生する騒音を避けるために、圧力脈動減衰器が使用される。圧力脈動は、ピストンポンプによってブレーキ液が圧縮される際に発生する。さらに弁の切換時に圧力波が発生する。
【０００３】
液圧式のブレーキシステムのためのこのような減衰装置は、例えば特許文献１により公知である。ここに記載された圧力脈動減衰器は減衰室を有しており、この減衰室の室体積は、減衰室内に配置されたエラストマーコアが圧力上昇時に圧縮されることにより、変えることができる。減衰室に絞りが後置接続されており、この絞りは絞り孔を有していて、さらにこの絞りにおいて、圧力制限弁が並列接続されてよい。これによって、構成要素を１つにまとめるための許容範囲、および構成要素の機械的な耐負荷能力限度のための許容範囲を超える圧力上昇は避けられるようになる。
【０００４】
しかしながら、ブレーキ液の流れの減衰に伴って、出力損失も発生し、この出力損失は所属のピストンポンプによって補正されなければならない。
【先行技術文献】
【特許文献】
【０００５】
【特許文献１】独国特許公告第１０３０５３１０号明細書
【発明の概要】
【発明が解決しようとする課題】
【０００６】
本発明の課題は、発生した出力損失を従来の減衰装置と比較して減少させることができる、特に車両ブレーキ装置の液圧ユニットのための減衰装置を提供することである。
【課題を解決するための手段】
【０００７】
本発明によれば、室体積が可変である減衰器室と、この減衰器室に機能的に、若しくは所属の流体の流れ方向で後置接続された絞りとを有する、車両ブレーキ装置の液圧ユニットの減衰装置が提供されている。この絞りは可変な絞り作用を有していて、またこの絞り作用は室体積に依存して可変である。
【０００８】
この場合、本発明による解決策は、同様に基本的に可変な絞り作用を有する従来の動的な絞りと混同されてはならない。このような絞りの絞り作用は、単に流れてくる流体の流れに依存するだけであって、例えば所属の減衰器室の室体積の大きさに依存することはない。
【０００９】
従って、高い流れ圧力における動的な絞りは、流れてくる流体の低い流れ圧力におけるよりもやや大きく開放する。この場合、所属の減衰装置の室体積も同時に変化するかどうか、およびどのように変化するかは、絞りのためには重要ではない。動的な絞りのためには、例えば絞りがどのような圧力で流れに晒されるかということだけが重要である。
【００１０】
これに対して、本発明の解決策は、このような考え方を超えて、絞りの絞り作用を、これが所属の減衰室の室体積の大きさにアクティブに依存して変化するように、変化可能に構成するものである。
【００１１】
この場合、本発明は、減衰装置の小さい室体積およびひいては大きい減衰作用において、絞り作用は大きくなければならない、という認識に基づいている。これに対して、減衰装置の大きい室体積およびひいては小さい減衰作用において、絞り作用は小さくなければならない。これを構造的に実行するために、本発明による解決策は、可変な出力値としての絞りの絞り作用を、検出しようとする入力値としての室体積に結び付ける。このために特に機械的な装置が設けられており、この機械的な装置によって室体積が検出されるか若しくは算出され、次いで絞り作用が相応にアクティブに変化せしめられる。
【００１２】
特に本発明は、最大の大きさの室体積において、減衰装置の減衰作用はいずれにしても完全に失われているという認識に基づいている。この状況において、出力損失を少なくするために、後置接続された絞りの流体の流れの減衰もできるだけ小さくなければならない。この場合、絞り作用は特に同様に完全に失われていなければならない。これは、本発明による解決策によって実現可能である。
【００１３】
このような理由により、本発明による減衰装置の本発明による発展形態において、絞り作用が室体積の拡大につれて減少され、絞り作用が最大の室体積において概ねゼロに減少されるようになっている。
【００１４】
好適には、さらに、減衰器室が変形可能な減衰器ダイヤフラムによって画成されていて、絞りの絞り作用が減衰器ダイヤフラムの変形状態に依存して可変である。選択的に、好適には、減衰器室が位置調節可能な減衰器ピストンによって画成されていて、絞りの絞り作用が減衰器ピストンの調節位置に依存して可変である。２つの発展形態において、絞りの減衰作用は、減衰装置の減衰作用を規定する構成部分の調節位置に直接依存している。依存性は、特にカップリングによって、好適には減衰作用を規定する構成部分および絞り作用を規定する絞りの構成部分の純粋に機械的なカップリングによって形成されている。
【００１５】
絞りの絞り作用に影響を及ぼすために、好適には、絞りに対してバイパスが並列接続されており、このバイパスにおいて、絞りの絞り作用を変えるためにバイパス若しくはバイパス開口の大きさが室体積に依存して可変である。この場合、バイパスは、絞り自体の液圧抵抗よりも小さい液圧抵抗を形成する。このような別の液圧抵抗が絞りに対して並列接続で配置されていて、それによって分路を形成することによって、絞りを通ってガイドされた流体路はこの分路によって負荷軽減され得る。液圧的な全抵抗は、減衰装置を通って流れる流体が妨げられることなく流出し、従って絞りの絞り作用が小さくなることによって、低下する。
【００１６】
このような形式のバイパス開口は、好適には、バルブシートに対してシールされている弁体によって閉鎖可能である。従って、弁体はバルブシートと共にバイパス開口内で、バイパス開口の液圧抵抗を制御するための制御弁を形成する。
【００１７】
この場合、絞りが弁体内に配置されていることによって、特に取り付けスペースを節約すると同時に、機能的に効果的な全体的配置構成が提供され得る。このような弁体内の絞りは、好適には弁体を貫通する絞り開口によって、つまり比較的小さい開口横断面を有する貫通開口によって簡単に形成することができる。弁体はまずバルブシートに当接し、絞りを通過する流体は、オリフィスとして作用する絞り開口だけを通って流れなければならない。減衰装置の室体積が次第に大きくなるにつれて、特に弁体がバルブシートから持ち上げられることによって、バイパスが開放される。絞りを通過する流体は、ほぼ液圧抵抗なしでも、絞りの周囲を流れることができるので、絞り作用は相応に減少される。
【００１８】
特に好適には、弁体は、機械的な連結エレメントによって、室体積に依存して移動可能であり、この場合、連結エレメントは特に減衰器ダイヤフラムまたは減衰器ピストンに連結されている。このような形式の機械的な連結エレメントは、簡単で確実に機能し、かつ同時にコンパクトな、室体積と絞りの絞り作用との間の依存性を得るための構造形を提供する。
【００１９】
この場合、特に好適には減衰器ダイヤフラムまたは減衰器ピストンと弁体との間の連結エレメントは、引張エレメントとして特にタイロッド、牽引ロープまたは牽引パイプとして構成されている。
【図面の簡単な説明】
【００２０】
【図１】本発明による減衰装置の第１実施例の縦断面図である。
【図２】本発明による減衰装置の第２実施例の縦断面図である。
【図３】本発明による減衰装置の第３実施例の縦断面図である。
【発明を実施するための形態】
【００２１】
以下に本発明による解決策の実施例を、添付の概略図を用いて詳しく説明する。
【００２２】
図１には、車両ブレーキ装置の液圧ユニットの減衰装置１０が示されている。この場合、減衰装置１０は液圧ユニットのハウジング１２に位置しており、この液圧ユニットはここでは、直方体状のブロックとしてアルミニウム材料より形成されている。ハウジング１２から帽子状の減衰器ハウジング１４が突き出している。この場合、ハウジング１２と帽子状の減衰器ハウジング１４の帽子のつば区分との間の接続は、流体密な定置のかしめ加工部１６として構成されている。
【００２３】
減衰器ハウジング１４はその内側で円筒形の減衰器内室１８を包囲しており、この減衰器内室１８はさらに、図１に関連して下端部でハウジング１２によって画成されている。減衰器内室１８内に同様に帽子状の減衰器ダイヤフラム２０が位置している。この減衰器ダイヤフラム２０は弾性的な材料より成っていて、その外側に複数の湾曲部２２を備えている。減衰器ダイヤフラム２０は、その下区分がかしめ加工部１６内に組み込まれていて、このような形式によりかしめ加工部１６で定置に保持されている。これによって、減衰器ダイヤフラム２０は、減衰器内室１８を、減衰器ダイヤフラム２０の内部に位置する流体室２４と、減衰器ダイヤフラム２０と減衰器ハウジング１４との間に位置する減衰器室２６とに分離する。減衰器ダイヤフラム２０の変形および運動によって、流体室２４の拡大時に減衰器室２６は縮小し、その逆でもある。
【００２４】
供給路２８は、ハウジング１２を貫通して下方から流体室２４内に通じている。この供給路２８を通して、減衰装置１０は、残りの液圧ユニットからブレーキ液を圧力下で供給することができる。
【００２５】
導出路３０が、流体室２４から図１に関連して下方に導き出されている。導出路３０は、流体を減衰装置１０から減衰された形で残りの液圧ユニット内に導出するために用いられる。導出路３０はバルブシート３２によって囲まれており、このバルブシート３２上に、上方から、つまり流体室２４の側から弁体３４が気密に載っている。
【００２６】
弁体３４が導出路３０の長手方向で絞り開口３８から挿入されていることによって、弁体３４内に絞り３６が形成されている。絞り開口３８内に絞り体４０がはめ込まれており、この絞り体４０は、絞りばね４２によって流体室２４への方向で絞りシート４４に向かって押し付けられている。
【００２７】
従って、流体室２４から流体を導出する際に、絞り体４０は液圧式の流れ抵抗として作用し、この流れ抵抗は、絞り開口３８を通る流体の流出をできるだけ阻止する。このような形式で流体が流体室２４内でせき止められ、減衰器ダイヤフラム２０は減衰器ハウジング１４に向かって押し退けられる。この場合、減衰器室２６内に弾性的に圧縮可能なガスが存在する。このガスによっておよび減衰器ダイヤフラム２０自体の弾性によって、供給路２８を通って供給されその際に部分的に圧力脈動に晒される流体のために、圧力波を減衰する作用が得られる。
【００２８】
絞り３６の手前でせき止められる流体が増大するにつれて、流体室の室体積が次第に拡大し、それと同時に減衰器室２６の室体積が次第に縮小する。減衰器室２６の室体積が最終的にほぼゼロになると直ちに、減衰装置１０はその機能をほぼ失う。しかしながらそれと同時に、絞り３６の絞り機能若しくはせき止め機能は基本的に維持される。このような絞り３６の機能、およびそれに伴う、減衰装置１０を貫通ガイドされる流体のための流動損失を減少させるために、および避けるために、減衰器ダイヤフラム２０を弁体３４に機械的に連結するタイロッド４６が設けられている。
【００２９】
タイロッド４６によって連結されていることにより、弁体３４は減衰器室２６の室体積が次第に縮小するにつれてバルブシート３２から持ち上げられ、このような形式で弁体３４とバルブシート３２との間でバイパス４８が開放される。次いで、このバイパス４８を通って流体が、絞り作用に晒されることなく、流体室２４から流出することができる。
【００３０】
図２には、図１に示した実施例と構造的に概ね同じである減衰装置１０の実施例が示されている。しかしながら、減衰器ダイヤフラム２０の代わりに、図２に示した実施例では減衰器ピストン５０が設けられており、この減衰器ピストン５０は、らせん状の弾性的な減衰器ばね５２によって絞り３６に向かって押しやられている。減衰器ピストン５０は、流体室２４を減衰器室２６から分離し、この場合、減衰器ばね５２は減衰器室２６内に位置している。
【００３１】
所属の絞り体４０は、牽引ロープ５４によって減衰器ピストン５０に機械的に連結されている。この場合、牽引ロープ５４はその弾性およびその長さに関連して、特別に適合されており、従って、減衰器内室１８内における減衰器ピストン５０の位置に応じて、それによって形成されたバイパス４８のためにそれぞれ所望の開放横断面が得られる。
【００３２】
図３は、同様に減衰器ハウジング１４内で減衰器ピストン５０がしゅう動可能かつ気密に支承されている、減衰装置１０の実施例を示す。減衰器ピストン５０に、牽引パイプ５６が絞り３６に向かって突き出して配置されている。この牽引パイプ５６によって、図３で見て弁体３４の上方の端部領域が、バイパス４８を提供するために牽引パイプ５６が弁体３４を持ち上げ、この際にバルブシート３２から持ち上げることができるように、把持されている。牽引パイプ５６が、体積が非常に小さい流体室２４において十分な運動スペースが得られるようにするために、さらに弁体３４が、下方に突き出す中空円筒形の切欠５８によって包囲されている。
【符号の説明】
【００３３】
１０  減衰装置
２０減衰器ダイヤフラム
２６  減衰器室
３２  バルブシート
３４  弁体
３６  絞り
４６  タイロッド
４８  バイパス
５０  減衰器ピストン
５４  牽引ロープ
５６  牽引パイプ
【図１】
2019051925.tif 000003
【図２】
2019051925.tif 000004
【図３】
2019051925.tif 000005
【外国語明細書】
2019051925000001.pdf